【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
複数の給紙部を有する印刷装置に対して印刷ジョブを出力するデータ処理装置であって、
現在の印刷設定を含む印刷ジョブを着目印刷ジョブとして生成するジョブ生成手段と、
着目印刷ジョブ以前に出力された印刷ジョブに含まれる印刷設定のうち、給紙部に関連づけられた用紙に関する設定を履歴情報として取得する履歴取得手段と、
前記履歴取得手段により取得した履歴情報において、着目印刷ジョブに含まれる用紙に関する設定と一致している用紙に関する設定が、前記着目印刷ジョブに含まれる印刷設定において指定された給紙部と異なる給紙部に関連づけられているか判定する履歴判定手段と、
前記履歴判定手段により関連づけられていると判定された場合、ユーザの指示に応じて印刷処理を中止するかあるいは継続するジョブ制御手段と
を備えることを特徴とするデータ処理装置。
【請求項２】
前記印刷装置に対して出力された印刷ジョブに含まれる印刷設定のうち、給紙部に関連づけられた用紙に関する設定を履歴情報として履歴保存部に保存する履歴保存手段を更に備え、
前記履歴取得手段は前記履歴保存部から履歴情報を取得することを特徴とする請求項１に記載のデータ処理装置。
【請求項３】
前記印刷装置は、前記印刷装置に対して出力された印刷ジョブに含まれる印刷設定のうち、給紙部に関連づけられた用紙に関する設定を履歴情報として履歴保存部に保存し、
前記履歴取得手段は前記印刷装置の前記履歴保存部から履歴情報を取得することを特徴とする請求項１に記載のデータ処理装置。
【請求項４】
前記履歴情報には、給紙部に関連づけられた用紙に関する設定に加えて、給紙部に関連づけられたユーザに関する情報が含まれ、
前記履歴判定手段は、前記履歴取得手段により取得した履歴情報において、着目印刷ジョブに含まれる用紙に関する設定およびユーザに関する情報と一致している用紙に関する設定及びユーザに関する情報が、前記着目印刷ジョブに含まれる印刷設定において指定された給紙部と異なる給紙部に関連づけられているか判定することを特徴とする請求項１乃至３のいずれか一項に記載のデータ処理装置。
【請求項５】
前記履歴取得手段により取得した履歴情報に含まれる、各給紙部に関連づけられた用紙に関する設定またはユーザに関する情報またはその両方が、着目印刷ジョブに含まれる用紙に関する設定およびユーザに関する情報と互いに一致しているか判定する一致判定手段を更に備え、
前記一致判定手段により一致していると判定された場合には、印刷処理を中断せずに継続し、一致しないと判定された場合には、前記履歴判定手段による判定を行うことを特徴とする請求項１乃至４のいずれか一項に記載のデータ処理装置。
【請求項６】
前記履歴情報には、給紙部に関連づけられた用紙に関する前記設定に代えて、給紙部に関連づけられたユーザに関する情報が含まれ、
前記履歴判定手段は、前記前記履歴取得手段により取得した履歴情報において、着目印刷ジョブに含まれるユーザに関する情報と一致したユーザに関する情報が、前記着目印刷ジョブに含まれる印刷設定において指定された給紙部と異なる給紙部に関連づけられているか判定することを特徴とする請求項１乃至３のいずれか一項に記載のデータ処理装置。
【請求項７】
前記履歴情報に含まれる各給紙部に関連づけられたユーザに関する設定が、着目印刷ジョブに含まれるユーザに関する情報と互いに一致しているか判定する一致判定手段を更に備え、
前記一致判定手段により一致していると判定された場合には、印刷処理を中断せずに継続し、一致しないと判定された場合には、前記履歴判定手段による判定を行うことを特徴とする請求項６に記載のデータ処理装置。
【請求項８】
前記印刷装置は、給紙部を選択するための選択手段を備えており、
前記データ処理装置は、前記印刷設定の一項目として、前記着目印刷ジョブが用いる給紙部として、特定の給紙部または前記選択手段により選択された給紙部のうちいずれかの指定を受け付ける印刷設定手段と、
前記印刷設定手段による指定が、前記印刷装置の選択手段により選択された給紙部であるか否か判定する選択判定手段とを更に備え、
前記選択判定手段により、前記印刷設定手段による指定が、前記印刷装置の選択手段により選択された給紙部であると判定された場合には、前記履歴判定手段は、前記印刷装置の選択手段により選択された給紙部を、前記着目印刷ジョブに含まれる印刷設定において指定された給紙部として判定を行うことを特徴とする請求項１乃至７のいずれか一項に記載のデータ処理装置。
【請求項９】
前記選択判定手段により、前記印刷設定手段による指定が、前記印刷装置の選択手段により選択された給紙部であると判定された場合には、当該給紙部に関連づけられた用紙に関する設定が、前記着目印刷ジョブに含まれる用紙に関する設定と一致するか否か判定する給紙部判定手段を更に備え、
前記給紙部判定手段により、前記印刷装置の選択手段により選択された給紙部に関連づけられた用紙に関する設定が、前記着目印刷ジョブに含まれる用紙に関する設定と一致すると判定された場合には、印刷処理を中断せずに継続し、一致しないと判定された場合には、前記履歴判定手段による判定を行うことを特徴とする請求項８に記載のデータ処理装置。
【請求項１０】
履歴取得手段と処理手段と履歴判定手段とジョブ制御手段とを備え、複数の給紙部を有する印刷装置に対して印刷ジョブを出力するデータ処理装置における印刷ジョブ制御方法であって、
前記処理手段が、現在の印刷設定を含む印刷ジョブを着目印刷ジョブとして生成するジョブ生成工程と、
前記履歴取得手段が、着目印刷ジョブ以前に出力された印刷ジョブに含まれる印刷設定のうち、給紙部に関連づけられた用紙に関する設定を履歴情報として取得する履歴取得工程と、
前記履歴取得工程により取得した履歴情報において、着目印刷ジョブに含まれる用紙に関する設定と一致している用紙に関する設定が、前記着目印刷ジョブに含まれる印刷設定において指定された給紙部と異なる給紙部に関連づけられているか、前記履歴判定手段が判定する履歴判定工程と、
前記履歴判定工程により関連づけられていると判定された場合、前記ジョブ制御手段が、ユーザの指示に応じて印刷処理を中止するかあるいは継続するジョブ制御工程と
を備えることを特徴とする印刷ジョブ制御方法。
【請求項１１】
コンピュータにより、複数の給紙部を有する印刷装置に対して印刷ジョブを出力するためのプログラムであって、
現在の印刷設定を含む印刷ジョブを着目印刷ジョブとして生成するジョブ生成手段と、
着目印刷ジョブ以前に出力された印刷ジョブに含まれる印刷設定のうち、給紙部に関連づけられた用紙に関する設定を履歴情報として取得する履歴取得手段と、
前記履歴取得手段により取得した履歴情報において、着目印刷ジョブに含まれる用紙に関する設定と一致している用紙に関する設定が、前記着目印刷ジョブに含まれる印刷設定において指定された給紙部と異なる給紙部に関連づけられているか判定する履歴判定手段と、
前記履歴判定手段により関連づけられていると判定された場合、ユーザの指示に応じて印刷処理を中止するかあるいは継続するジョブ制御手段と
してコンピュータを機能させるためのプログラム。
【請求項１２】
給紙口が変更されたか否かを判別する判別手段と、
前記判別手段により給紙口が変更されていないと判別された場合、指定されている給紙口以外の給紙口の過去に印刷した際の情報と、印刷ジョブに設定されている情報とに基づき警告を行う警告手段と
を有することを特徴とする印刷データ処理装置。
【請求項１３】
給紙口が変更されたか否かを判別する判別手段と、
前記判別手段により給紙口が変更されていないと判別された場合、指定されている給紙口の過去に印刷した際の情報と、印刷ジョブに設定されている情報とに基づき警告を行う警告手段と
を有することを特徴とする印刷データ処理装置。
【請求項１４】
前記警告手段は、前記判別手段により給紙口が変更されていないと判別された場合、指定されている給紙口の過去に印刷した際の情報と、指定されている給紙口以外の給紙口の過去に印刷した際の情報と、印刷ジョブに設定されている情報とに基づき警告を行うことを特徴とする請求項１２記載の印刷データ処理装置。
【請求項１５】
前記情報は、用紙情報を含むことを特徴とする請求項１２乃至１４のいずれか一項に記載の印刷データ処理装置。
【請求項１６】
前記情報は、ユーザ情報を含むことを特徴とする請求項１２乃至１５のいずれか一項に記載の印刷データ処理装置。
【請求項１７】
給紙口が変更されたか否かを判別する判別ステップと、
前記判別ステップにより給紙口が変更されていないと判別された場合、指定されている給紙口以外の給紙口の過去に印刷した際の情報と、印刷ジョブに設定されている情報とに基づき警告を行う警告ステップと
をコンピュータに実行させるためのプログラム。
【請求項１８】
給紙口が変更されたか否かを判別する判別ステップと、
前記判別ステップにより給紙口が変更されていないと判別された場合、指定されている給紙口の過去に印刷した際の情報と、印刷ジョブに設定されている情報とに基づき警告を行う警告ステップと
をコンピュータに実行させるためのプログラム。
【請求項１９】
前記警告ステップでは、前記判別ステップにより給紙口が変更されていないと判別された場合、指定されている給紙口の過去に印刷した際の情報と、指定されている給紙口以外の給紙口の過去に印刷した際の情報と、印刷ジョブに設定されている情報とに基づき警告を行うことを特徴とする請求項１７記載のプログラム。
【請求項２０】
前記情報は、用紙情報を含むことを特徴とする請求項１７乃至１９のいずれか一項に記載のプログラム。
【請求項２１】
前記情報は、ユーザ情報を含むことを特徴とする請求項１７乃至２０のいずれか一項に記載のプログラム。 
【手続補正２】
【補正対象書類名】明細書
【補正対象項目名】０００９
【補正方法】変更
【補正の内容】
【０００９】
上記目的を達成するための本発明は以下の構成を備える。即ち、複数の給紙部を有する印刷装置に対して印刷ジョブを出力するデータ処理装置であって、
現在の印刷設定を含む印刷ジョブを着目印刷ジョブとして生成するジョブ生成手段と、
着目印刷ジョブ以前に出力された印刷ジョブに含まれる印刷設定のうち、給紙部に関連づけられた用紙に関する設定を履歴情報として取得する履歴取得手段と、
前記履歴取得手段により取得した履歴情報において、着目印刷ジョブに含まれる用紙に関する設定と一致している用紙に関する設定が、前記着目印刷ジョブに含まれる印刷設定において指定された給紙部と異なる給紙部に関連づけられているか判定する履歴判定手段と、
前記履歴判定手段により関連づけられていると判定された場合、ユーザの指示に応じて印刷処理を中止するかあるいは継続するジョブ制御手段とを備える。